(57)【特許請求の範囲】
【請求項１】
便器への洗浄水の供給管路に設けられたフラッシュバルブのうち、上部カバーを取り外したフラッシュバルブ本体を利用して構成される自動便器洗浄装置であって、
固形薬剤を収容する薬剤タンクと、
前記フラッシュバルブ本体の水流出口側に接続され、便器に供給される洗浄水の一部を前記薬剤タンクに導く分岐管路と、
この分岐管路を通して供給される洗浄水を前記薬剤タンクに流入させた後、前記固形薬剤が溶け込んだこの薬剤タンク内の洗浄水を前記分岐管路を通じて便器に流出させる切換え弁と、
前記フラッシュバルブ本体に前記上部カバーの代わりに取り付けられる封止部材、前記フラッシュバルブ本体内における水流入口と水流出口の間の水路を開閉する弁体、および前記封止部材により支持されて前記弁体の開閉を制御するために電磁力によりロッドが進退する電磁作動部から構成される電磁弁と、
前記ロッドを収容する収容室と、
便器使用者の動きをセンサにより検知して前記電磁作動部を作動させるコントロールユニットとを備え、
前記電磁弁において、
前記弁体は、前記フラッシュバルブ本体の水流入口側の洗浄水圧を開方向に受けるとともに、
前記弁体の前記フラッシュバルブ本体の水流入口側から洗浄水圧を導いて前記弁体に対して前記弁体を閉じ状態に保持可能な背圧をかけるための背圧室、および前記背圧室を前記フラッシュバルブ本体の水流出口側に連通させるために前記収容室に面する領域に連通路流入口を有し、前記フラッシュバルブ本体に設けられた連通路が形成されており、
前記コントロールユニットは、前記ロッドが、前記連通路流入口を塞いで、前記背圧室から前記連通路への前記洗浄水の流入を遮断する閉じ位置と、前記連通路流入口から退避して、前記連通路流入口を介して前記水流出口への前記洗浄水の移動を許容する開き位置との間で動作するように前記電磁作動部を作動させることを特徴とする自動便器洗浄装置。
【請求項２】
前記コントロールユニットは、便器使用者が便器の前に立ったことを検知したときに前記電磁作動部を所定の短時間作動させて便器の前洗浄を行い、便器使用者が便器の前から立ち去ったことを検知したときに前記電磁作動部を所定の長時間作動させて便器の本洗浄を行うことを特徴とする請求項１に記載の自動便器洗浄装置。
【発明の詳細な説明】
【０００１】
【発明の属する技術分野】
本発明は、便器への尿石の付着や小便器からの悪臭の発生等を防止するために、便器を自動洗浄する装置に関するものである。
【０００２】
【従来の技術】
上記のような自動便器洗浄装置は、公衆便所等の男子用小便器に取り付けられており、便器使用者が排尿後に立ち去ったことを赤外線センサ等を用いて検出し、自動的に洗浄水を流すものである。
【０００３】
ところで、便器に水道水のみの洗浄水を流した程度では便器への尿石の付着を防止できず、悪臭の原因にもなる。このため、洗浄水に尿石の付着防止若しくは除去が可能な薬剤を溶かした上で便器に流す自動便器洗浄装置が提案されている。
【０００４】
そして、このような自動便器洗浄装置には、便器に洗浄水を供給する給水管路に設けられたフラッシュバルブ（便器使用者がバルブ本体の前面に設けられた押しボタンを操作することにより一定量の洗浄水を便器に流すもの）を利用して、それまでの手動洗浄を容易に自動化できるものがある。
【０００５】
この自動便器洗浄装置は、押しボタンおよび上部カバーを取り外したフラッシュバルブ本体に、上部カバーの代わりに通水口付きキャップを取り付け、上記通水口からチューブを介して薬剤タンクに洗浄水を導く構成となっている。上記チューブの先端には、薬剤タンクの上部に保持された電磁弁が接続されており、非洗浄時には電磁弁を閉じておき、洗浄時に電磁弁を開動作させて薬剤タンクに洗浄水の一部を導く。
【０００６】
そして、薬剤タンク内に所定量の洗浄水（薬剤入り洗浄水）が溜まると、薬剤タンク内のフロート弁機構によって、タンクから給水管路におけるフラッシュバルブ本体の水流出口側に接続された分岐管路を通じて便器に薬剤入り洗浄水を流す。
【０００７】
【発明が解決しようとする課題】
しかしながら、上記のような自動便器洗浄装置では、キャップ通水口とチューブとの接続部や薬剤タンク上部における電磁弁の保持部分等からの水漏れが起こり易く、便器の上面に漏れた水がかかる等の問題がある。
【０００８】
また、便器使用者が排尿を行う前に、少量の洗浄水を便器に流して前洗浄を行うことが望ましいが、上記のような自動便器洗浄装置では、電磁弁はタンクへの給水にのみ用いられているため、このような前洗浄を行うことができない。
【０００９】
【課題を解決するための手段】
上記の目的を達成するために、本発明の自動便器洗浄装置では、便器への洗浄水の供給管路に設けられたフラッシュバルブのうち、上部カバー（および押しボタン）を取り外したフラッシュバルブ本体を利用して構成される自動便器洗浄装置であって、固形薬剤を収容する薬剤タンクと、フラッシュバルブ本体の水流出口側に接続され、便器に供給される洗浄水の一部を薬剤タンクに導く分岐管路と、この分岐管路を通して供給される洗浄水を薬剤タンクに流入させた後、固形薬剤が溶け込んだ薬剤タンク内の洗浄水を分岐管路を通じて便器に流出させる切換え弁と、フラッシュバルブ本体に上部カバーの代わりに取り付けられる封止部材、フラッシュバルブ本体内における水流入口と水流出口の間の水路を開閉する弁体、および封止部材により支持されて弁体の開閉を制御するために電磁力により作動するロッドが進退する電磁作動部から構成される電磁弁と、ロッドを収容する収容室と、便器使用者の動きをセンサにより検知して電磁作動部を作動させるコントロールユニットとを備えている。この電磁弁の具体的な構成としては、弁体を、フラッシュバルブ本体の水流入口側の洗浄水圧を開方向に受けるものとした上で、フラッシュバルブ本体の水流入口側から洗浄水圧を導いて上記弁体に対してこの弁体を閉じ状態に保持可能な背圧をかけるための背圧室、およびこの背圧室をフラッシュバルブ本体の水流出口側に連通させるために収容室に面する領域に連通路流入口を有し、フラッシュバルブ本体に設けられた連通路が形成されており、コントロールユニットは、ロッドが、連通路流入口を塞いで、背圧室から連通路への洗浄水の流入を遮断する閉じ位置と、連通路流入口から退避して、連通路流入口を介して水流出口への洗浄水の移動を許容する開き位置との間で動作するように電磁作動部を作動させる。
【００１０】
本発明の自動便器洗浄装置では、薬剤タンクに対してフラッシュバルブ本体（つまりは便器に洗浄水を供給する主給水管路）に接続された分岐管路を通じて給排水する構成であるため、水漏れが生じない。また、フラッシュバルブ本体内の水路を電磁弁により開閉する構成であるため、便器使用後の本洗浄に先立って便器使用前の前洗浄を容易に行わせることが可能である。
【００１２】
【発明の実施の形態】
図１には、本発明の実施形態である自動便器洗浄装置の便器への組み付け方法を示している。また、図２〜図５には、上記自動便器洗浄装置の構成を示している。
【００１３】
これらの図において、１００は小便器であり、１１０は小便器１００の上部に配置されたフラッシュバルブ本体である。フラッシュバルブ本体１１０は不図示の水道管から洗浄水の供給を受け、後述する電磁弁１０の作動／非作動によって洗浄水を小便器１００に対して流したり止めたりする役割を有する。
【００１４】
本来、このフラッシュバルブ本体１１０には、このフラッシュバルブ本体１１０の上部開口を塞ぐ上部カバー１１２および使用者が操作することによって一定量の水を小便器１００に流す押しボタン１１４が取り付けられているが、本実施形態の自動便器洗浄装置を組み付ける際には、これら上部カバー１１２および押しボタン１１４を取り外す。
【００１５】
そして、フラッシュバルブ本体１１０における上部カバー１１２を取り外した後の上部開口には、後述する電磁弁１０の封止キャップ１０ａを取り付け、押しボタン１１４を取り外した後の開口部にはめくら栓６０を取り付ける。
【００１６】
２０は自動便器洗浄装置のケース本体であり、電磁弁１０を取り付けたフラッシュバルブ本体１１０の背後に配置される。ケース本体２０の内側には、図２〜図５に示すように保持板２３が取り付けられており、この保持板２３を電磁弁１０のヨーク８にネジ止めすることによって、ケース本体２０がフラッシュバルブ本体１１０に固定保持される。
【００１７】
また、ケース本体２０の内側におけるフラッシュバルブ本体１１０の配置箇所の側方には、薬剤タンク３０が配置されている。この薬剤タンク３０の底面には、図４に示すように、上下方向に延びる水路穴３５ａが形成された弁本体３５ｂが取り付けられており、水路穴３５ａ内には、この水路穴３５ａの内径よりも小さな外径を有する弁可動体３５ｃの軸部３５ｄが上下方向に移動可能に挿入されている。
【００１８】
軸部３５ｄの上端には円筒形状のフロート部３５ｅが設けられており、軸部３５ｄの下端には円錐台形状の開閉部３５ｆが設けられている。また、弁本体３５ｂの水路穴３５ａの下端部には、上記弁可動体３５ｃの開閉部３５ｆの斜面が密着および離脱する弁受け部３５ｇが形成されている。なお、弁本体３５ｂおよび弁可動体３５ｃにより切換え弁３５が構成される。
【００１９】
また、弁本体３５ｂの下部には、分岐管５０の一端が接続されている。この分岐管５０の他端は、フラッシュバルブ本体１１０の下部（水流出口）とフラッシュバルブ本体１１０から流出した洗浄水を小便器１００に供給するための主給水管１００ａとに接続される。
【００２０】
さらに、図５に示すように、薬剤タンク３０の底面における上記切換え弁３５の前側には、固形薬剤４０を収容するスペースと切換え弁３５が設けられたスペースとを仕切るためのすのこ状の仕切板３５ｈが立ち上がるよう形成されている。
【００２１】
このように構成された薬剤タンク３５の上部開口には、芳香剤を保持した芳香剤カセット３９が載置される。なお、ケース本体２０の上部における芳香剤カセット３９と対向する領域には、芳香剤の成分をケース外に放出させるためのすのこ状の切り込み２０ａが形成されている。
【００２２】
さらに、図４および図５に示すように、ケース本体２０には、操作ボタンをケース本体２０の裏面側に露出させたマニュアルスイッチ７０が取り付けられている。動作点検時等において、電磁弁１０が作動状態のとき（洗浄水が小便器１００に流れているとき）にこのマニュアルスイッチ７０の操作ボタンを押すことにより、電磁弁１０の作動状態を維持し、フラッシュバルブ本体１１０内を通じて小便器１００に連続して洗浄水を流すことができる。
【００２３】
このようにフラッシュバルブ本体１０に取り付けられたケース本体２０の前面には、前面ケース２１がネジにより取り付けられ、さらに前面ケース２１の上部には、前面ケース２１に取り付けられたスナップ係合爪（図示せず）により、上部ケース２２が着脱可能に取り付けられる。
【００２４】
前面ケース２１の内側には、コントロールユニット２５と電池ボックス２８とが取り付けられている。コントロールユニット２５は、図２に示すように、便器使用者の動きを検知するための赤外線センサ２５ａと、この赤外線センサ２５ａの出力に基づいて電磁弁１０の作動／非作動を制御する制御基板２５ｂとが収納されている。なお、前面ケース２１における赤外線センサ２５ａに対向する位置には、センサ窓２１ａが形成されている。また、電池ボックス２８内には、電池２８ａが収納される。
【００２５】
さらに、上部ケース２２における芳香剤カセット３９と対向する領域には、芳香剤の成分をケース外に放出させるためのすのこ状の切り込み２２ａが形成されている。
【００２６】
次に、フラッシュバルブ本体１１０の内部構成および電磁弁１０の構成・動作について、図２および図３を用いて説明する。
【００２７】
フラッシュバルブ本体１１０内には、水道管から洗浄水の供給を受ける水流入口１１０ｂと、この水流入口１１０ｂにつながって電磁弁１０の可動弁部が挿入される円筒状のタンク部１１０ａと、このタンク部１１０ａにつながって洗浄水を流出させる水流出口１１０ｃとが形成されている。
【００２８】
なお、水流入口１１０ｂとタンク部１１０ａとの間には、閉鎖バルブ１１０ｄが設けられており、この自動便器洗浄装置を組み付けるとき等に水流入口１１０ｂからタンク部１１０ａへの洗浄水の流入を阻止することができるようになっている。
【００２９】
電磁弁１０は、前述したようにフラッシュバルブ本体１１０に対して上部カバー１１２の代わりに取り付けられる、リング状の封止キャップ１０ａを有して構成されている。
【００３０】
封止キャップ１０ａの上面には、リング状の２つのコイル１およびこれらのコイル１の上部から側面にかけて配置されたヨーク８が保持されており、コイル１の内側にはプランジャ７が上下方向に移動可能に収容されている。また、プランジャ７の内側にはロッド３が一体的に上下動可能に取り付けられている。さらに、ロッド３の上部にはコイルバネ９が収容されており、ヨーク８に対してプランジャ７およびロッド３を下方に付勢している。なお、コイル１、ヨーク８、プランジャ７、ロッド３およびコイルバネ９により電磁作動部が構成される。
【００３１】
また、封止キャップ１０ａの下面には、フラッシュバルブ本体１１０のタンク部１１０ａ内に収納される電磁弁本体部を構成するブロック４が固定されている。ブロック４内には、弁体２を収容するスペース４ｓが形成されており、この弁体収容スペース４ｓの下部中央には、フラッシュバルブ本体１１０の水流出口１１０ｃとをつなぐ流出路４ｈとが形成されている。
【００３２】
さらに、ブロック４内には、弁体収容スペース４ｓとフラッシュバルブ本体１１０の水流入口１１０ｂとを連通させる第１連通路４ａと、上記弁体収容スペース４ｓとロッド３の下端部を収容するスペース４ｔとを連通させる第２連通路４ｂと、ロッド収容スペース４ｔと流出路４ｈとを連通させる第３〜第７連通路４ｃ〜４ｇが形成されている。なお、第３連通路４ｃの上端は、ロッド３の下端部の下方にて開口しており、第２連通路４ｂの上端はロッド３の下端部の下方から側方に外れた位置にて開口している。
【００３３】
また、弁体収容スペース４ｓ内に収容される弁体２は、第１連通路４ａと流出路４ｈとの間を開閉するために設けられたものである。ただし、この弁体２の外周近傍には、第１連通路４ａと弁体収容スペース４ｓのうち弁体２の上側に形成される背圧室４ｓ′とを連通させる小径の連通路２ａが形成されている。
【００３４】
また、ブロック４における弁体収容スペース４ｓの天井面と弁体２との間にはコイルバネ５が配置されており、弁体２を下方（すなわち、第１連通路４ａと流出路４ｈとの間を閉止する方向）に付勢している。
【００３５】
このように構成された電磁弁１０において、コイル１に通電しない場合（非作動時）には、コイルバネ９の付勢力によってプランジャ７が下動位置にあり、ロッド３の下端部によって第３連通路４ｃの上端開口が閉止される。このため、背圧室４ｓ′およびこの背圧室４ｓ′に第２連通路４ｂを通じてつながるロッド収容スペース４ｔが水密状態となる。
【００３６】
したがって、フラッシュバルブ本体１１０の水流入口１１０ｂから第１連通路４ａを通じて弁体収容スペース４ｓに流入した洗浄水の一部は、弁体２に形成された連通路２ａを通じて背圧室４ｓ′（およびロッド収容スペース４ｔ）に流入し、弁体２を下方に押圧する水圧を発生する。そして、この水圧とコイルバネ５の付勢力とにより弁体２は第１連通路４ａと流出路４ｈとの間を閉止した状態となる。
【００３７】
一方、コイル１に通電した場合（作動時）には、ヨーク８に発生した電磁吸引力によってプランジャ７がコイルバネ９の付勢力に抗して上動し、ロッド３の下端部は第３連通路４ｃの上端開口を開口させる。このため、ロッド収容スペース４ｔさらには背圧室４ｓ′が第３〜第７連通路４ｃ〜４ｇを通じて流出路４ｈに連通し、背圧室４ｓ′内には水圧が発生しなくなる。
【００３８】
したがって、フラッシュバルブ本体１１０の水流入口１１０ｂから第１連通路４ａを通じて弁体収容スペース４ｓに流入した洗浄水は、その水圧により弁体２をコイルバネ５の付勢力に抗して押し上げて第１連通路４ａと流出路４ｈとを開通させながら第１連通路４ａから流出路４ｈに流れる。
【００３９】
このように電磁弁１０の非作動時には小便器１００への洗浄水の供給が絶たれ、電磁弁１０の作動時には小便器１００に洗浄水が供給される。
【００４０】
次に、薬剤タンク３０における給排水動作について、図６を用いて説明する。図６（ａ）は、薬剤タンク３０内に洗浄水が流入する前の状態を示している。この状態では、弁可動体３５ｃは、フロート部３５ｅが弁本体３５ｂの上端面に当接する位置（若しくは弁可動体３５ｃの下端部が分岐管５０の下端に当接する位置）まで下動した状態となっている。
【００４１】
また、このとき、弁可動体３５ｃの開閉部３５ｆは弁本体３５ｂの弁受け部３５ｇから離脱しており、水路穴３５ａ内に洗浄水の流入が可能な状態になっている。
【００４２】
さらに、薬剤タンク３０内には、固形薬剤４０が投入されている。なお、固形薬剤４０は、使用されて小さくなったときに取り出し易いように、細かい穴若しくは隙間が形成された袋４１内に入れられて薬剤タンク３０内に投入される。
【００４３】
小便器１００の使用者が用を足した後等に、コントロールユニット２５によって電磁弁１０が作動状態されると、フラッシュバルブ本体１１０および主給水管１００ａを通して小便器１００に洗浄水が供給される。このとき、フラッシュバルブ本体１１０から主給水管１００ａに流れる洗浄水の一部は、分岐管５０を通って弁本体３５ｂの水路穴３５ａ内に流入し、さらに薬剤タンク３０内に流入する。そして、図６（ｂ）に示すように、薬剤タンク３０内に流入した洗浄水の浮力により、フロート部３５ｅとともに弁可動体３５ｃが徐々に押し上げられる。
【００４４】
薬剤タンク３０内に流入した洗浄水Ｗには、固形薬剤Ｙが溶け出し、タンク３０内の洗浄水は薬剤入り洗浄水Ｗ′となる。
【００４５】
そして、タンク３０内の洗浄水Ｗ′の水位が増えるにつれて、弁可動体３５ｃが徐々に上動する。
【００４６】
なお、薬剤タンク３０内に洗浄水Ｗが流入すると、その水流の勢いによって固形薬剤４０がタンク３０内で切換え弁３５に近づく方向に移動する可能性がある。しかし、本装置では、仕切板３５ｈによって固形薬剤４０が切換え弁３５に干渉することが確実に防止されているので、固形薬剤４０が切換え弁３５に引っかかる等して切換え弁３５の動作が妨げられるような事態が発生することはない。
【００４７】
また、薬剤タンク３０内に洗浄水Ｗが流入しはじめると、タンク３０内の空気Ａが上方に向かって押されるため、空気Ａは芳香剤カセット３９を通過して効率良く香りがつけられた状態で、ケース本体２０および上部ケース２２の切り込み２０ａ，２２ａと装置外部に排出される。
【００４８】
こうして薬剤タンク３０内の洗浄水Ｗ′が所定量に達すると、弁可動体３５ｃの開閉部３５ｆが弁本体３５ｂの弁受け部３５ｇに密着して水路穴３５ａを閉じるので、洗浄水Ｗのタンク３０内への流入が止まる。
【００４９】
この後、コントロールユニット２５によって電磁弁１０が非作動状態に切り換えられ、フラッシュバルブ本体１１０および主給水管１００ａを通しての小便器１００への洗浄水の供給が停止されると、図６（ｃ）に示すように、分岐管５０内の水圧が下がるので、弁可動体３５ｃはその自重によって若干下動し、弁本体３５ｂの弁受け部３５ｇに密着していた開閉部３５ｆがそこから離脱する。
【００５０】
これにより、薬剤タンク３０内の薬剤入り洗浄液Ｗ′がタンク３０内から水路穴３５ａ、分岐管５０および主給水管１００ａを通って小便器１００に流出し始め、タンク３０内での水位が減るのに伴って弁可動体３５ｃも徐々に下動していき、図６（ａ）の状態に戻る。
【００５１】
このように、小便器１００への洗浄水（水道水）Ｗの供給が終了してから薬剤タンク３０内の薬剤入り洗浄液Ｗ′が小便器１００に供給されるため、小便器１００への尿石の付着等を効果的に防止することができる。
【００５２】
次に、コントロールユニット２５による電磁弁１０の作動制御について、図７に示したフローチャートを用いて説明する。
【００５３】
まず、ステップ（図では、Ｓと略す）１では、赤外線センサ２５ａを通じて小便器１００の前の所定範囲（例えば、４５ｃｍの範囲）に便器使用者が所定時間（例えば、１秒）以上立ったか否かを判別する。便器使用者が立ったと判別したときは、ステップ２に進んで、電磁弁１０を所定の短い時間（例えば、０．１秒）だけ作動状態とし、少量の洗浄水を小便器１００に流す前洗浄を行う。この前洗浄は、小便器１００にかかった尿を流れ落ち易くし、小便器１００への尿石の付着防止効果をより高めるために行うものである。
【００５４】
また、このときの分岐管５０に流れ込む洗浄水はごく少量であるため、薬剤タンク３０内にはほとんど洗浄水は流入しない。なお、ステップ１にて便器使用者を判別しない場合には、このステップ１を繰り返す。
【００５５】
ステップ２で前洗浄が終了した後、ステップ３では、赤外線センサ２５ａを通じて便器使用者が小便器１００の前の所定範囲から立ち去ったか否かを判別する。便器使用者が立ち去ったと判別したときは、ステップ４に進み、電磁弁１０を所定の長い時間（例えば、４秒）だけ作動状態とし、所要の量の洗浄水を小便器１００に流す本洗浄を行う。
【００５６】
このとき、分岐管５０を通じて薬剤タンク３０内に洗浄水が流れ込み、前述した過程を経て、本洗浄の終了後に薬剤タンク３０から小便器１００に薬剤入り洗浄水が供給される。
【００５７】
このように本実施形態の自動便器洗浄装置によれば、薬剤タンク３０に対してフラッシュバルブ本体１１０および主給水管１００ａ（つまりは小便器１００に洗浄水を供給する主給水管路）に接続された分岐管５０を通じて給排水する構成であるため、装置内での水漏れが生じない。
【００５８】
しかも、フラッシュバルブ本体１１０内の水路を電磁弁１０により開閉する構成であるため、便器使用後の本洗浄に先立って便器使用前の前洗浄を容易に行わせることができる。さらに、切換え弁３５によって本洗浄の終了後に薬剤入り洗浄水を小便器１００に供給することができるため、高い尿石付着および悪臭発生の防止効果を得ることができる。
【００５９】
なお、上記実施形態では、電磁弁として２つのコイルを有するものを用いた場合について説明したが、１つのコイルのみを有する電磁弁を用いてもよい。またも電磁弁の構成は、上記実施形態にて説明したもの以外のものであってもよい。
【００６０】
また、上記実施形態のフラッシュバルブ本体の形状は一例であり、メーカーによってフラッシュバルブ本体の形状が異なる場合には、各フラッシュバルブ本体の形状に合わせて電磁弁の形状を変更すればよい。
【００６１】
さらに、上記実施形態では、薬剤タンク内に１つの固形薬剤を収容する場合について説明したが、例えば薬剤タンク内に２つの薬剤収容スペースを作り、これら薬剤収容スペースに交互に固形薬剤を投入できるようにしてもよい。これにより、薬剤補充時に、一方の薬剤収容スペースにて小さくなった（まだ残っている）固形薬剤を取り出すことなく他方の薬剤収容スペースに新たな固形薬剤を投入することができる。このため、各固形薬剤を最後まで使い切ることができ、固形薬剤の廃棄処理の必要をなくすることができる。
【００６２】
【発明の効果】
以上説明したように、本発明の自動便器洗浄装置によれば、薬剤タンクに対してフラッシュバルブ本体（つまりは便器に洗浄水を供給する主給水管路）に接続された分岐管路を通じて給排水する構成を採用しているため、装置内での水漏れが生じず、さらには装置外に漏れ出た水が便器にかかることもない。
【００６３】
しかも、本発明の自動便器洗浄装置では、フラッシュバルブ本体内の水路を電磁弁により開閉する構成を採用しているため、便器使用後の本洗浄に先立って便器使用前の前洗浄を容易に行わせることができ、より高い尿石付着および悪臭発生の防止効果を得ることができる。
【図面の簡単な説明】
【図１】本発明の実施形態である自動便器洗浄装置の組み付け説明図。
【図２】上記自動便器洗浄装置の内部構成を示す側面図。
【図３】上記自動便器洗浄装置に用いられる電磁弁の拡大図。
【図４】上記自動便器洗浄装置の内部構成を示す正面図。
【図５】上記自動便器洗浄装置の内部構成を示す平面図。
【図６】上記自動便器洗浄装置の薬剤タンクに対する洗浄水の給排水動作の説明図。
【図７】上記自動便器洗浄装置のコントロールユニットの動作フローチャート。
【符号の説明】
１０  電磁弁
１  コイル
２  弁体
２ａ  連通路
３  ロッド
４  ブロック
４ａ〜４ｇ  連通路
４ｈ  流出路
５，９  コイルバネ
７  プランジャ
２０  ケース本体
２１  前面ケース
２２  上部ケース
２５  コントロールユニット
２８  電池ボックス
３０  薬剤タンク
３５  切換え弁
３９  芳香剤カセット
４０  固形薬剤
５０  分岐管
１００  小便器
１００ａ  主給水管
１１０  フラッシュバルブ本体
【図１】
0004500412.tif 000002
【図２】
0004500412.tif 000003
【図３】
0004500412.tif 000004
【図４】
0004500412.tif 000005
【図５】
0004500412.tif 000006
【図６】
0004500412.tif 000007
【図７】
0004500412.tif 000008